(57)【要約】【課題】ＣＡとＣｏＭＰとを同時且つ適切に実行する無線通信システムを提供する。【解決手段】ＣＡ割当決定部１２４は、送信データのうち第１周波数帯を用いて送信する第１データ及び第２周波数帯を用いて送信する第２データのそれぞれの割り当てを決定し、第１データの情報を通知する。ＲＢ割当決定部１２３は、第１データ及び第２データに無線リソースを割り当て、第１データに割り当てられた無線リソースの情報を通知する。データ処理部１２２は、割り当てられた無線リソースを用いて、第１データ及び第２データを無線端末装置３に送信する。データ管理部２２１は、第１データの情報を取得し、データ管理部１２１から取得した送信データから第１データを選択する。データ処理部２２２は、ＲＢ割当決定部１２３により通知された第１データに割り当てられた無線リソースを用いてデータ管理部２２１により選択された第１データを無線端末装置３に送信する。【選択図】図３
2017103545.tif 000002
【特許請求の範囲】
【請求項１】
第１基地局装置、第２基地局装置及び無線端末装置を有する無線通信システムであって、
前記第１基地局装置は、
前記無線端末装置へ送信すべき送信データを受信するデータ管理部と、
前記送信データのうち第１周波数帯を用いて送信する第１データ及び第２周波数帯を用いて送信する第２データのそれぞれの割り当てを決定し、前記第１データの情報を前記第２基地局装置に通知する割当決定部と、
前記割当決定部により決定された前記第１データ及び前記第２データのそれぞれに無線リソースを割り当て、前記第１データに割り当てられた無線リソースの情報を前記第２基地局装置に通知するリソース割当部と、
前記リソース割当部により割り当てられた無線リソースを用いて、前記第１データ及び前記第２データを前記無線端末装置に送信する第１送信部とを備え、
前記第２基地局装置は、
前記第１基地局装置と協調して前記無線端末装置へ送信すべき前記第１データを含む送信データを受信する受信部と、
前記割当決定部により通知された前記第１データの情報を取得し、前記送信データから前記第１データの情報を用いて前記第１データを選択するデータ選択部と、
前記リソース割当部により通知された前記第１データに割り当てられた無線リソースの情報を取得し、前記第１データに割り当てられた無線リソースを用いて前記データ選択部により選択された前記第１データを前記無線端末装置に送信する第２送信部とを備えた
ことを特徴とする無線通信システム。
【請求項２】
前記第２基地局装置は、自装置において他のデータ送信に用いた前記第１周波数帯の無線リソースを前記割当決定部に通知する通知部をさらに備え、
前記割当決定部は、前記通知部から通知された前記無線リソースを前記第１周波数帯の無線リソースから除いた情報を基に、前記第１データ及び前記第２データのそれぞれの割り当てを決定する
ことを特徴とする請求項１に記載の無線通信システム。
【請求項３】
他の基地局装置と第１周波数帯を用いて無線端末装置に対して協調通信を行う基地局装置であって、
前記無線端末装置へ送信すべき送信データを受信するデータ管理部と、
前記送信データのうち前記第１周波数帯を用いて送信する第１データ及び第２周波数帯を用いて送信する第２データのそれぞれの割り当てを決定し、前記第１データの情報を前記他の基地局装置に通知する割当決定部と、
前記割当決定部により決定された前記第１データ及び前記第２データのそれぞれに無線リソースを割り当て、前記第１データに割り当てられた無線リソースの情報を前記他の基地局装置に通知し、前記第１データに割り当てられた無線リソースを用いた前記第１データの無線端末装置への送信を前記他の基地局装置に行わせるリソース割当部と、
前記リソース割当部により割り当てられた無線リソースを用いて、前記第１データ及び前記第２データを前記無線端末装置へ送信する送信部と
を備えた基地局装置。
【請求項４】
第１基地局装置と第２基地局装置とで第１周波数帯を用いて無線端末装置に対して協調通信を行う無線通信方法であって、
前記第１基地局装置及び前記第２基地局装置に、送信データを受信させ、
前記第１基地局装置に、前記送信データのうち前記第１周波数帯を用いて送信する第１データ及び第２周波数帯を用いて送信する第２データのそれぞれの割り当てを決定させ、前記第１データの情報を第２基地局装置に通知させ、
前記第２基地局装置に、前記第１基地局装置により送信された前記第１データの情報を受信させ、前記送信データから前記第１データを選択させ、
前記第１基地局装置に、前記第１データ及び前記第２データのそれぞれに無線リソースを割り当てさせ、前記第１データに割り当てられた無線リソースの情報を前記第２基地局装置に通知させ、
前記第１基地局装置に、前記第１周波数帯及び前記第２周波数帯に割り当てられた無線リソースを用いて、前記第１データ及び前記第２データを無線端末装置へ送信させ、
前記第２基地局装置に、前記第１基地局装置により送信された前記第１データに割り当てられた無線リソースの情報を受信させ、前記第１データに割り当てられた無線リソースを用いて前記第１データを前記無線端末装置に送信させる
ことを特徴とする無線通信方法。
【発明の詳細な説明】
【技術分野】
【０００１】
本発明は、無線通信システム、基地局装置及び無線通信方法に関する。
【背景技術】
【０００２】
近年、無線端末装置の小型化や高性能化により、モバイルシステムの普及が大幅に進んでいる。さらに、そのようなモバイルシステム上で提供されるアプリケーションサービスには、多様化及び利便性の向上が求められている。このようなアプリケーションサービスに対する要求への対応として、モバイルシステムに対するスループット向上の要求が益々高まっている。
【０００３】
そこで、モバイルシステムに対する要求に答える技術として、複数の周波数帯を同時に使用するＣＡ（Carrier  Aggregation）及び後述するＣｏＭＰ（Coordinated  Multi-Point）が提案されている。すなわち、ＣＡやＣｏＭＰの技術を用いることで、モバイルシステムのスループットを向上させることができる。
【０００４】
ここで、ＣｏＭＰとは、セル境界付近において、他のセルと協調して同じデータを送信することで、電波受信環境を改善する技術である。より具体的には、ＣｏＭＰ対象の移動機を収容する基地局装置のベースバンド処理部は、協調送信先の基地局装置のベースバンド処理部に対して、リソースブロック（ＲＢ：Resource  Block）の割り当て結果を通知するためのインタフェースを有する。さらに、ＣｏＭＰ対象の移動機を収容する基地局装置のベースバンド処理部は、協調送信先の基地局装置のベースバンド処理部に対して、送信するデータ自体を受け渡すインタフェースを有する。ＣｏＭＰ対象の移動機を収容する基地局装置のベースバンド処理部と協調送信先の基地局装置のベースバンド処理部とは、これらの２つのインタフェースを用いてリソースブロックの割り当てに関する情報とデータを共有する。
【０００５】
なお、モバイルシステムのスループットを向上させるために、ＣＡとＣｏＭＰとを組み合わせようとする試みがある。そこでは、例えば、複数の基地局と一つの端末との間でフィードバック信号の送受信を適切に実行する技術が提案されている。
【先行技術文献】
【特許文献】
【０００６】
【特許文献１】特開２０１３−１０６１３３号公報
【特許文献２】特開２０１４−２２０６７８号公報
【発明の概要】
【発明が解決しようとする課題】
【０００７】
しかしながら、従来技術のようにＣＡとＣｏＭＰとを単に組み合わせた場合、ＣＡ中にＣｏＭＰを行うと、協調元のベースバンド処理部と協調送信先のベースバンド処理部との間で送信データの不一致が発生するおそれがある。また、単一の基地局でダウンリンクのスケジューリングを実施してから協調先へダウンリンクデータを転送する方式では、基地局間でのダウンリンクデータの転送時間分だけ遅延が生じることとなる。
【０００８】
開示の技術は、上記に鑑みてなされたものであって、ＣＡとＣｏＭＰとを同時且つ適切に実行する無線通信システム、基地局装置及び無線通信方法を提供することを目的とする。
【課題を解決するための手段】
【０００９】
本願の開示する無線通信システム、基地局装置及び無線通信方法は、一つの態様において、第１基地局装置、第２基地局装置及び無線端末装置を有する。前記第１基地局装置は、前記無線端末装置へ送信すべき送信データを受信するデータ管理部と、前記送信データのうち第１周波数帯を用いて送信する第１データ及び第２周波数帯を用いて送信する第２データのそれぞれの割り当てを決定し、前記第１データの情報を前記第２基地局装置に通知する割当決定部と、前記割当決定部により決定された前記第１データ及び前記第２データのそれぞれに無線リソースを割り当て、前記第１データに割り当てられた無線リソースの情報を前記第２基地局装置に通知するリソース割当部と、前記リソース割当部により割り当てられた無線リソースを用いて、前記第１データ及び前記第２データを前記無線端末装置に送信する第１送信部とを備える。前記第２基地局装置は、前記第１基地局装置と協調して前記無線端末装置へ送信すべき前記第１データを含む送信データを受信する受信部と、前記割当決定部により通知された前記第１データの情報を取得し、前記送信データから前記第１データの情報を用いて前記第１データを選択するデータ選択部と、前記リソース割当部により通知された前記第１データに割り当てられた無線リソースの情報を取得し、前記第１データに割り当てられた無線リソースを用いて前記データ選択部により選択された前記第１データを前記無線端末装置に送信する第２送信部とを備える。
【発明の効果】
【００１０】
本願の開示する無線通信システム、基地局装置及び無線通信方法の一つの態様によれば、ＣＡとＣｏＭＰとを同時且つ適切に実行することができるという効果を奏する。
【図面の簡単な説明】
【００１１】
【図１】図１は、無線通信システムの概略構成図である。
【図２】図２は、基地局装置のブロック図である。
【図３】図３は、実施例１に係るベースバンド処理部のブロック図である。
【図４】図４は、実施例１に係る無線通信システムにおいてＣＡ及びＣｏＭＰを実行する際のデータ選択について説明するための図である。
【図５】図５は、実施例１に係る無線通信システムにおけるＣＡ及びＣｏＭＰを用いた通信制御のシーケンス図である。
【図６】図６は、実施例２に係るベースバンド処理部のブロック図である。
【図７】図７は、実施例２に係る無線通信システムにおいてＣＡ及びＣｏＭＰを実行する際のデータ選択について説明するための図である。
【図８】図８は、実施例２に係る無線通信システムにおけるＣＡ及びＣｏＭＰを用いた通信制御のシーケンス図である。
【図９】図９は、基地局装置のハードウェア構成図である。
【図１０】図１０は、無線端末装置のハードウェア構成図である。
【発明を実施するための形態】
【００１２】
以下に、本願の開示する無線通信システム、基地局装置及び無線通信方法の実施例を図面に基づいて詳細に説明する。なお、以下の実施例により本願の開示する無線通信システム、基地局装置及び無線通信方法が限定されるものではない。
【実施例１】
【００１３】
図１は、無線通信システムの概略構成図である。本実施例に係る無線通信システムは、基地局装置１及び２、並びに、無線端末装置３を有する。本実施例では、無線端末装置３は、基地局装置１に接続して通信を行う。
【００１４】
本実施例では、基地局装置１は、ＣＡを行うためのセル１１及びセル１２を有する。セル１１は、第１周波数を用いて基地局装置１が無線端末装置３と通信を行うためのサービスエリアである。また、セル１２は、第２周波数を用いて基地局装置１が無線端末装置３と通信を行うためのサービスエリアである。そして、基地局装置１は、セル１１及び１２を用いてＣＡを行う。
【００１５】
また、基地局装置１は、第１周波数を用いて無線端末装置３を通信対象としてＣｏＭＰを行う。基地局装置１は、第１周波数を用いたＣｏＭＰを用いた通信の主導基地局として、基地局装置２と協調してＣｏＭＰを行う。以下では、ＣｏＭＰを用いた通信の主導基地局を、「協調元基地局」という場合がある。
【００１６】
基地局装置２は、セル１１と重複領域を有するセル２１を有する。セル２１は、第１周波数を用いて基地局装置２が無線端末装置３と通信を行うサービスエリアである。基地局装置２は、第１周波数を用いたＣｏＭＰを用いた通信において、基地局装置１と協調してデータを無線端末装置３へ送信する。以下では、協調元基地局と協調してＣｏＭＰを用いた通信を行う基地局装置を、「協調先基地局」という場合がある。
【００１７】
図２は、基地局装置のブロック図である。図２では、基地局装置１を例に図示しているが、基地局装置２も同様の構成を有する。
【００１８】
基地局装置１は、無線通信部１０１、ベースバンド処理部１０２、ネットワーク通信部１０３及びアンテナ１０４を有する。無線通信部１０１はアンテナ１０４に接続する。また、ネットワーク通信部１０３は、コアネットワーク４に接続する。基地局装置１は、コアネットワーク４を介して基地局装置２を含む他の基地局装置と通信を行う。
【００１９】
無線通信部１０１は、無線端末装置３との間の無線通信におけるインタフェースである。無線通信部１０１は、アンテナ１０４を介して無線端末装置３から送出された無線信号を受信する。そして、無線通信部１０１は、受信した信号をベースバンド処理部１０２へ出力する。また、無線通信部１０１は、無線周波数の信号の入力をベースバンド処理部１０２から受ける。そして、無線通信部１０１は、アンテナ１０４を介して宛先の無線端末装置３へ無線信号を送信する。
【００２０】
ベースバンド処理部１０２は、無線信号の周波数を有する信号の入力を無線通信部１０１から受ける。次に、ベースバンド処理部１０２は、復調を行い受信した信号の周波数を変更してベースバンド信号を生成する。さらに、ベースバンド処理部１０２は、生成したベースバンド信号に対して復号化処理を施す。その後、ベースバンド処理部１０２は、復号化処理を施したベースバンド信号をネットワーク通信部１０３へ出力する。
【００２１】
また、ベースバンド処理部１０２は、ベースバンド信号の入力をネットワーク通信部１０３から受ける。次に、ベースバンド処理部１０２は、受信したベースバンド信号に対して符号化処理を施す。さらに、ベースバンド処理部１０２は、符号化処理を施したベースバンド信号に対して変調を行い周波数を変更して無線信号を生成する。その後、ベースバンド処理部１０２は、生成した無線信号を無線通信部１０１へ出力する。
【００２２】
また、ベースバンド処理部１０２は、ＣＡ及びＣｏＭＰを用いた通信を制御する。例えば、ベースバンド処理部１０２は、ＣＡを用いて無線端末装置３と通信を行う場合に、セル１１及び１２へのデータの割り当てを行う。また、ＣｏＭＰを用いた通信を無線端末装置３に対して行う場合に、ベースバンド処理部１０２は、基地局装置２のベースバンド処理部２０２との間で、送信データ及び通信に使用するリソースブロックの同期をとる。ＣＡ及びＣｏＭＰを用いた通信における、ベースバンド処理部１０２の機能については、後で詳細に説明する。
【００２３】
ネットワーク通信部１０３は、基地局装置１がコアネットワーク４と通信を行う際のインタフェースである。ネットワーク通信部１０３は、ベースバンド処理部１０２から受信したデータをコアネットワーク４へ送信する。また、ネットワーク通信部１０３は、コアネットワーク４から受信したデータをベースバンド処理部１０２へ出力する。
【００２４】
次に、図３を参照して、基地局装置１のベースバンド処理部１０２及び基地局装置２のベースバンド処理部２０２について詳細に説明する。図３は、実施例１に係るベースバンド処理部のブロック図である。ここでは、上述のように、基地局装置１を協調元基地局とし、基地局装置２を協調先基地局として説明する。ここで、実際には、ベースバンド処理部１０２は、無線通信部１０１を介して無線端末装置３と通信を行い、ネットワーク通信部１０３及びコアネットワーク４を介して基地局装置２と通信を行う。また、ベースバンド処理部２０２も同様である。ただし、以下では、説明の都合上、ベースンバンド処理部１０２とベースバンド処理部２０２とが直接通信するように説明し、また、ベースバンド処理部１０２及び２０２が無線端末装置３に直接データを送信するように説明する。
【００２５】
協調元基地局である基地局装置１のベースバンド処理部１０２は、データ管理部１２１、データ処理部１２２、ＲＢ割当決定部１２３及びＣＡ割当決定部１２４を有する。また、協調先基地局である基地局装置２のベースバンド処理部２０２は、データ管理部２２１、データ処理部２２２及びＲＢ割当決定部２２３を有する。ここで、実際には、基地局装置１及び２は、いずれも協調元基地局及び協調先基地局の何れとしても動作することができる。すなわち、実際には、ベースバンド処理部２０２は、図３に示したベースバンド処理部１０２が有する各機能も有し、逆に、ベースバンド処理部１０２は、ベースバンド処理部２０２の機能も有する。
【００２６】
データ管理部１２１は、コアネットワーク４から無線端末装置３へ送信する送信データを受信する。この送信データは、リソースブロックが割り当てられる単位のデータを複数含む。次に、データ管理部１２１は、例えば、送信データに含まれる各データに番号を付加する。データ管理部１２１は、送信データを保持する。さらに、データ管理部１２１は、受信した送信データの全てを各データの番号とともにデータ管理部２２１へ送信する。
【００２７】
次に、データ管理部１２１は、保持する送信データのデータ量を求める。そして、データ管理部１２１は、求めた送信データのデータ量をＲＢ割当決定部１２３へ通知する。この時、データ管理部１２１は、各データに割り当てた番号をＲＢ割当決定部１２３に通知する。
【００２８】
その後、データ管理部１２１は、リソースブロックに割り当て済みのデータ量の情報の通知をＲＢ割当決定部１２３から受ける。そして、データ管理部１２１は、送信データの中から割り当て済みのデータ量に対応するデータをデータ処理部１２２へ出力する。
【００２９】
ＣＡ割当決定部１２４は、データの割当要求とともに送信データのデータ量の通知をＲＢ割当決定部１２３から受ける。そして、ＣＡ割当決定部１２４は、セル１１において利用可能な無線リソース及びセル１２において利用可能な無線リソースの情報を用いて、第１周波数で送信するデータの割り当て及び第２周波数で送信するデータの割り当てを決定する。以下では、第１周波数で送信するデータの割り当て及び第２周波数で送信するデータの割り当てを、「ＣＡにおけるデータの割当」という。
【００３０】
そして、ＣＡ割当決定部１２４は、決定したデータの割当結果をＲＢ割当決定部１２３へ通知する。例えば、ＣＡ割当決定部１２４は、第１周波数で送信するデータとして割り当てた各データの番号及び第２周波数で送信するデータとして割り当てた各データの番号を通知することで、ＣＡにおけるデータの割当結果の通知を行う。このＣＡ割当決定部１２４が、「割当決定部」の一例にあたる。そして、第１周波数で送信するデータとして割り当てられたデータが、「第１データ」の一例にあたり、第２周波数で送信するデータとして割り当てられたデータが、「第２データ」の一例にあたる。
【００３１】
ここで、本実施例では、ＣＡ割当決定部１２４は、データに割り当てられた番号をＲＢ割当決定部１２３に通知しているが、第１データを特定できる情報であれば他の情報を用いてもよい。例えば、ＣＡ割当決定部１２４は、ＲＬＣ（Radio  Link  Control）などの既存のプロトコルによりデータに付加されたシーケンス番号などをＣＡにおけるデータの割当結果として通知してもよい。
【００３２】
ＲＢ割当決定部１２３は、送信データのデータ量の通知をデータ管理部１２１から受ける。そして、ＲＢ割当決定部１２３は、データの割当要求とともに送信データのデータ量の通知をＣＡ割当決定部１２４から受ける。その後、ＲＢ割当決定部１２３は、ＣＡにおけるデータの割当結果の通知をＣＡ割当決定部１２４から取得する。そして、ＲＢ割当決定部１２３は、ＣＡにおけるデータの割当にしたがい、第１周波数及び第２周波数を用いて無線端末装置３へ送信データを送信するための無線リソースで規定されるリソースブロックを決定する。ここで、リソースブロックを表す無線リソースには、周波数及び送信タイミングが含まれる。
【００３３】
次に、ＲＢ割当決定部１２３は、ＣＡにおけるデータの割当結果を基地局装置２のＲＢ割当決定部２２３へ送信する。ここで、本実施例では、ＣＡにおけるデータの割当結果の全てを送っているが、実際には、ＲＢ割当決定部１２３は、第１周波数に割り当てられたデータの情報をＲＢ割当決定部２２３へ送ればよい。例えば、ＲＢ割当決定部１２３は、第１周波数で送信するデータとして割り当てられた各データの番号をＲＢ割当決定部２２３へ送信する。さらに、ＲＢ割当決定部１２３は、送信データを送信するためのリソースブロックの割当結果を基地局装置２のＲＢ割当決定部２２３へ送信する。
【００３４】
ここで、本実施例では、ＲＢ割当決定部１２３は、ＣＡにおけるデータの割当結果として、データの番号をＲＢ割当決定部２２３へ送信したが、この情報はどのデータをＣｏＭＰの協調先基地局として送信するかが認識できる情報であれば他の情報でもよい。例えば、ＲＢ割当決定部１２３は、第１周波数を用いて送信するデータそのものをＣＡにおけるデータの割当の情報としてＲＢ割当決定部２２３へ送信してもよい。
【００３５】
次に、ＲＢ割当決定部１２３は、リソースブロックの割当結果をデータ処理部１２２へ通知する。さらに、ＲＢ割当決定部１２３は、リソースブロックの割り当て済みのデータ量の情報をデータ管理部１２１へ通知する。このＲＢ割当決定部１２３が、「リソース割当部」の一例にあたる。
【００３６】
データ処理部１２２は、リソースブロックの割当結果の通知をＲＢ割当決定部１２３から受ける。さらに、データ処理部１２２は、リソースブロックが割り当て済みの量の無線端末装置３へ送信するデータの入力をデータ管理部１２１から受ける。そして、データ処理部１２２は、ＲＢ割当決定部１２３により割り当てられたリソースブロックを用いて、データ管理部１２１から受信したデータを無線端末装置３へ送信する。具体的には、データ処理部１２２は、第１周波数及び第２周波数を用いたＣＡにより、データを無線端末装置３へ送信する。このデータ処理部１２２が、「第１送信部」の一例にあたる。
【００３７】
次に、協調先基地局である基地局装置２のベースバンド処理部２０２について説明する。
【００３８】
ベースバンド処理部２０２のＲＢ割当決定部２２３は、ＣＡにおけるデータの割当結果の通知をベースバンド処理部１０２のＲＢ割当決定部１２３から受ける。そして、ＲＢ割当決定部２２３は、ＣＡにおけるデータの割当結果をデータ管理部２２１へ通知する。
【００３９】
また、ＲＢ割当決定部２２３は、リソースブロックの割当結果をＲＢ割当決定部１２３から受信する。そして、ＲＢ割当決定部２２３は、リソースブロックの割当結果をデータ処理部２２２へ通知する。さらに、ＲＢ割当決定部２２３は、リソースブロックの割り当て済みデータ量をデータ管理部２２１へ通知する。
【００４０】
データ管理部２２１は、送信データをデータ管理部１２１から受信する。そして、ベースバンド処理部２０２は、受信した送信データを保持する。
【００４１】
その後、データ管理部２２１は、ＣＡによるデータの割当結果の通知をＲＢ割当決定部２２３から受ける。そして、データ管理部２２１は、ＣＡによるデータの割当の情報を用いて、保持する送信データの中から第１周波数を用いて送信するデータを選択する。
【００４２】
次に、データ管理部２２１は、リソースブロックを割り当て済みのデータのデータ量の通知をＲＢ割当決定部２２３から受ける。そして、データ管理部２２１は、保持する送信データの中から割り当て済みのデータ量に対応するデータをデータ処理部１２２へ出力する。このデータ管理部２２１が、「データ選択部」の一例にあたる。
【００４３】
データ処理部２２２は、リソースブロックの割当結果の情報の通知をＲＢ割当決定部２２３から受ける。さらに、データ処理部２２２は、リソースブロックが割り当て済みの量の無線端末装置３へ送信するデータの入力をデータ管理部２２１から受ける。そして、データ処理部１２２は、ＲＢ割当決定部１２３により割り当てられたリソースブロックを用いて、データ管理部２２１から受信したデータを無線端末装置３へ送信する。具体的には、データ処理部２２２は、基地局装置１のデータ処理部１２２が第１周波数を用いて無線端末装置３へ送信したデータと同じデータを、第１周波数の同じ無線リソースを用いてデータを無線端末装置３へ送信する。このデータ処理部２２２が、「第２送信部」の一例にあたる。
【００４４】
次に、図４を参照して、本実施例に係る無線通信システムにおいてＣＡ及びＣｏＭＰを実行する際のデータ選択について説明する。図４は、実施例１に係る無線通信システムにおいてＣＡ及びＣｏＭＰを実行する際のデータ選択について説明するための図である。ここでは、コアネットワーク４からデータ＃０〜＃５を含む送信データが基地局装置１へ送られてきた場合で説明する。図４では、データ＃０〜＃５を、Ｄ＃１〜＃５として表す。
【００４５】
ベースバンド処理部１０２のデータ管理部１２１は、データ＃０〜＃５を含む送信データ３０１をコアネットワーク４から受信する。ＣＡ割当決定部１２４は、送信データ３０１の内、データ＃０、＃３及び＃５を第１周波数で送信するデータとして割り当てる。また、ＣＡ割当決定部１２４は、送信データ３０１の内、データ＃１、＃２及び＃４を第２周波数で送信するデータとして割り当てる。
【００４６】
そして、ＲＢ割当決定部１２３は、第１周波数で送信するデータとしてデータ＃０、＃３及び＃５が割り当てられたという情報をベースバンド処理部２０２のＲＢ割当決定部２２３へ送信する。
【００４７】
また、ＲＢ割当決定部１２３は、データ＃０、＃３及び＃５に対してリソースブロックをリソース割当状態３０２に示すように割り当てる。リソース割当状態３０２は、各枠が第１周波数の１つのリソースブロックを表す。例えば、図４のリソース割当状態３０２における各リソースブロックを左から順番にＲＢ＃０〜＃６とする。その場合、図４に示すリソース割当状態３０２では、データ＃０（Ｄ＃０）は１番目のリソースブロック（ＲＢ＃１）に割り当てられる。また、データ＃３（Ｄ＃３）は、３番目のリソースブロック（ＲＢ＃３）に割り当てられる。また、データ＃５（Ｄ＃５）は、６番目のリソースブロック（Ｄ＃６）に割り当てられる。
【００４８】
また、ＲＢ割当決定部１２３は、データ＃１、＃２及び＃４に対してリソースブロックをリソース割当状態３０３に示すように割り当てる。例えば、図４のリソース割当状態３０３における各リソースブロックを左から順番にＲＢ＃０〜＃６とする。その場合、図４に示すリソース割当状態３０２では、データ＃０（Ｄ＃０）は１番目のリソースブロック（ＲＢ＃１）に割り当てられる。また、データ＃２（Ｄ＃２）は、２番目のリソースブロック（ＲＢ＃２）に割り当てられる。また、データ＃４（Ｄ＃４）は、５番目のリソースブロック（Ｄ＃５）に割り当てられる。
【００４９】
そして、ＲＢ割当決定部１２３は、リソースブロックの割当結果、すなわち、リソース割当状態３０２及び３０３を表す情報をデータ処理部１２２へ送信する。さらに、ＲＢ割当決定部１２３は、リソース割当状態３０２を表す情報をＲＢ割当決定部２２３へ送信する。リソース割当状態３０２を表す情報とは、その情報を用いることで、あるデータに対してどの周波数のどのリソースブロックに割り当てられたかが分かる情報である。例えば、リソース割当状態３０２を表す情報は、各データに第１周波数又は第２周波数の何れが割り当てられたかを表す情報及びその周波数におけるリソースブロックの番号などの識別情報である。
【００５０】
データ処理部１２２は、受信したリソースブロックの割当結果を用いて、第１周波数でリソース割当状態３０２に示すリソースブロックを用いてデータ＃０、＃３及び＃５を無線端末装置３へ送信する。また、データ処理部１２２は、受信したリソースブロックの割当結果を用いて、第２周波数でリソース割当状態３０３に示すリソースブロックを用いてデータ＃１、＃２及び＃４を無線端末装置３へ送信する。
【００５１】
ベースバンド処理部２０２のＲＢ割当決定部２２３は、第１周波数で送信するデータとしてデータ＃０、＃３及び＃５が割り当てられたという情報をデータ管理部２２１へ送信する。また、ＲＢ割当決定部２２３は、リソース割当状態３０２を表す情報をデータ処理部２２２へ出力する。
【００５２】
データ管理部２２１は、データ＃０〜＃５を含む送信データ３０１をデータ管理部１２１から受信する。データ管理部２２１は、第１周波数で送信するデータとしてデータ＃０、＃３及び＃５が割り当てられたという情報を用いて、ＣｏＭＰの協調先基地局として第１周波数を用いて送信するデータとして、データ＃０、＃３及び＃５を送信データから選択する。そして、データ管理部２２１は、選択したデータ＃０、＃３及び＃５をデータ処理部２２２へ送信する。
【００５３】
データ処理部２２２は、データ＃０、＃３及び＃５の入力をデータ管理部２２１から受ける。そして、データ処理部２２２は、ＲＢ割当決定部２２３から受けたリソース割当状態３０２を表す情報で示されるリソースブロックと同じリソースブロックを用いて、データ＃０、＃３及び＃５を無線端末装置３へ送信する。すなわち、データ処理部２２２は、リソース割当状態３０４で示すリソースブロックを用いてデータ＃０、＃３及び＃５を無線端末装置３へ送信する。
【００５４】
以上のような処理を行うことで、基地局装置１が第１周波数で送信するデータと基地局装置２が第１周数で送信するデータは、リソース割当状態３０２及び３０４に示されるように、同じデータであり、且つ同じリソースブロックを用いて送信される。
【００５５】
次に、図５を参照して、本実施例に係る無線通信システムにおけるＣＡ及びＣｏＭＰを用いた通信制御の流れを説明する。図５は、実施例１に係る無線通信システムにおけるＣＡ及びＣｏＭＰを用いた通信制御のシーケンス図である。
【００５６】
ベースバンド処理部１０２は、無線端末装置３の通信品質などを基に、ＣｏＭＰの実施を決定する（ステップＳ１）。
【００５７】
データ管理部１２１は、コアネットワーク４から送信データを受信する（ステップＳ２）。次に、データ管理部１２１は、受信した送信データを保持する（ステップＳ３）。
【００５８】
さらに、データ管理部１２１は、送信データをデータ管理部２２１へ送信する（ステップＳ４）。データ管理部２２１は、送信データを受信し、送信データを保持する（ステップＳ５）。
【００５９】
次に、データ管理部２２１は、送信データのデータ量を算出する（ステップＳ６）。そして、データ管理部２２１は、算出したデータ量をＲＢ割当決定部１２３へ通知する（ステップＳ７）。ＲＢ割当決定部１２３は、データの割当要求とともに送信データのデータ量をＣＡ割当決定部１２４に通知する（ステップＳ８）。
【００６０】
ＣＡ割当決定部１２４は、データの割当要求とともに送信データのデータ量の通知をＲＢ割当決定部１２３から受ける。そして、ＣＡ割当決定部１２４は、送信データのデータ量、並びに、第１周波数及び第２周波数の無線リソースの使用状態からＣＡにおけるデータの割当を決定する（ステップＳ９）。次に、ＣＡ割当決定部１２４は、ＣＡにおけるデータの割当結果をＲＢ割当決定部１２３に通知する（ステップＳ１０）。
【００６１】
ＲＢ割当決定部１２３は、ＣＡにおけるデータの割当結果の通知をＣＡ割当決定部１２４から受ける。そして、ＲＢ割当決定部１２３は、ＣＡにおけるデータの割当結果を用いて、第１周波数及び第２周波数で使用するリソースブロックを決定する（ステップＳ１１）。
【００６２】
そして、ＲＢ割割当決定部１２３は、ＣＡにおけるデータの割当結果をＲＢ割当決定部２２３へ通知する（ステップＳ１２）。さらに、ＲＢ割当決定部１２３は、リソースブロックの割当結果をＲＢ割当決定部２２３へ通知する（ステップＳ１３）。
【００６３】
ＲＢ割当決定部１２３は、リソースブロックの割当結果をデータ処理部１２２へ通知する（ステップＳ１４）。さらに、ＲＢ割当決定部１２３は、リソースブロックの割り当て済みデータ量をデータ管理部１２１へ通知する（ステップＳ１５）。なお、ステップＳ１２〜ステップＳ１５は、図５に示す順序に限定されるものではなく、実行される順序を適宜入れ替えても良い。
【００６４】
データ管理部１２１は、リソースブロックの割り当て済みデータ量の通知をＲＢ割当決定部１２３から受ける。そして、データ管理部１２１は、リソースブロックの割り当て済みデータ量のデータを送信データから取得し、データ処理部１２２へ出力する（ステップＳ１６）。
【００６５】
データ処理部１２２は、リソースブロックの割当結果の通知をＲＢ割当決定部１２３から受ける。さらに、データ処理部１２２は、リソースブロックの割り当て済みデータ量のデータの入力をデータ管理部１２１から受ける。そして、データ処理部１２２は、第１周波数及び第２周波数の割り当てられたリソースブロックを用いて取得したデータを無線端末装置３へ送信する（ステップＳ１７）。
【００６６】
一方、ＲＢ割当決定部２２３は、ＣＡにおけるデータの割当結果及びリソースブロックの割当結果の通知をＲＢ割当決定部１２３から受ける。そして、ＲＢ割当決定部２２３は、ＣＡにおけるデータの割当結果をデータ管理部２２１へ通知する（ステップＳ１８）。データ管理部２２１は、ＣＡにおけるデータの割当結果の通知をＲＢ割当決定部２２３から受ける。そして、データ管理部２２１は、ＣＡにおけるデータの割当結果にしたがい、送信データの中から、第１周波数で送信するデータを選択する（ステップＳ１９）。
【００６７】
ＲＢ割当決定部２２３は、リソースブロックの割当結果をデータ処理部２２２へ通知する（ステップＳ２０）。また、ＲＢ割当決定部２２３は、リソースブロックの割り当て済みのデータ量をデータ管理部２２１へ通知する（ステップＳ２１）。
【００６８】
データ管理部２２１は、リソースブロックを割り当て済みのデータ量の通知をＲＢ割当決定部２２３から受ける。そして、データ管理部２２１は、選択した第１周波数で送信するデータの中から、リソースブロックに割り当て済みのデータ量のデータを取得しデータ処理部２２２へ出力する（ステップＳ２２）。
【００６９】
データ処理部２２２は、リソースブロックの割当結果の通知をＲＢ割当決定部２２３から受ける。さらに、データ処理部２２２は、送信するデータの入力をデータ管理部２２１から受ける。そして、データ処理部２２２は、取得したデータを指定されたリソースブロックを用いて無線端末装置３へ送信する（ステップＳ２３）。
【００７０】
以上に説明したように、本実施例に係る協調元基地局は、ＣＡを実行しながらＣｏＭＰを用いる場合に、ＣＡにおける各キャリアへのデータの割当結果を協調先基地局に通知する。そして、協調先基地局は、ＣＡにおける各周波数に対するデータの割当結果の通知を受けて、ＣｏＭＰに用いるキャリアに割り当てられたデータを送信先データから選択して、指定された無線リソースを用いて無端端末装置へ送信する。これにより、協調元基地局と協調先基地局におけるデータの不整合が回避でき、ＣＡを実行しながらのＣｏＭＰを用いた通信を適切に実行することができる。
【００７１】
さらに、本実施例に係る無線通信システムでは、予め送信データ全体を協調先基地局に保持させておき、その後にＣｏＭＰの協調先基地局として送信するデータを識別する情報を通知して、協調先基地局に送信データを選択させる。これにより、リソースブロックの割当決定からデータ送信までの時間を短縮することができる。
【００７２】
また、以上の説明では、ＲＢ割当決定部１２３は、既存の通信経路を用いるために、リソースブロックの割当結果の通知やＣＡにおけるデータ割当結果の通知をＲＢ割当決定部２２３に行った。ただし、通信経路を新たに追加して、ＲＢ割当決定部２２３を介さずに、ＲＢ割当決定部１２３が、直接データ管理部２２１やデータ処理部２２２へ通知してもよい。さらに、ＣＡ割当決定部１２４が、ＣＡにおけるデータ割当結果を直接データ管理部２２１へ通知する構成にしてもよい。
【実施例２】
【００７３】
図６は、実施例２に係るベースバンド処理部のブロック図である。本実施例に係る無線通信装置は、協調先基地局におけるＣｏＭＰに用いる周波数における無線リソースの使用状況を用いて、ＣＡにおけるリソースの割り当てを決定することが実施例１と異なる。以下では、協調先基地局におけるＣｏＭＰに用いる周波数における無線リソースの使用状況を用いたＣＡにおけるリソースの割り当ての決定方法について主に説明する。以下の説明では、ベースバンド処理部１０２及び２０２の各部について、実施例１における機能と同じ機能については説明を省略する。
【００７４】
データ管理部２２１は、基地局装置２に収容された無線端末装置（不図示）への送信用のデータをコアネットワーク４から受信する。そして、データ管理部２２１は、リソースブロックの割り当て要求をＲＢ割当決定部２２３に送信する。その後、データ管理部２２１は、リソースブロックの割り当て済みのデータ量の通知をＲＢ割当決定部２２３から受ける。そして、データ管理部２２１は、基地局装置２に収容された無線端末装置への送信用のデータからリソースブロックの割り当て済みのデータ量のデータを取得してデータ処理部２２２へ出力する。
【００７５】
ＲＢ割当決定部２２３は、リソースの割り当て要求をデータ管理部２２１から受信する。そして、ＲＢ割当決定部２２３は、データ管理部２２１が受信したデータに対してリソースブロックを割り当てる。次に、ＲＢ割当決定部２２３は、リソースブロックの割当結果をデータ処理部２２２へ通知する。また、ＲＢ割当決定部２２３は、リソースブロックの割り当て済みのデータ量をデータ管理部２２１へ通知する。
【００７６】
さらに、ＲＢ割当決定部２２３は、第１周波数のリソースブロックを基地局装置２に収容された無線端末装置へのデータ送信に利用した場合、第１周波数のリソースブロックの空き状況を確認する。そして、ＲＢ割当決定部２２３は、第１周波数のリソースブロックの空き状況、すなわち、使用していない第１周波数のリソースブロックの情報をＲＢ割当決定部１２３へ送信する。ここで、第１周波数のリソースブロックの使用状況が変わった場合であれば他の場合でも、ＲＢ割当決定部２２３は、第１周波数のリソースブロックの空き状況の通知を行う。例えば、他の基地局装置との間でＣｏＭＰを行い、第１周波数のリソースブロックが使用された場合にも、ＲＢ割当決定部２２３は、第１周波数のリソースブロックの空き状況の通知を行う。ここで、ＲＢ割当決定部２２３は、第１周波数のリソースブロックの余裕、言い換えれば割り当て可能なリソースブロックの量を認識するための情報をＲＢ割当決定部１２３へ通知すればよい。したがって、ＲＢ割当決定部２２３が通知する第１周波数のリソースブロックの空き状況の情報には、割り当て可能なリソースブロックの数や割合などの情報を用いることができる。また、リソースブロックの空き状況の情報には、例えば、割り当て可能なリソースブロックの位置や識別情報などの割り当て可能なリソースブロックを特定するための情報が含まれる。このＲＢ割当決定部２２３が、「通知部」の一例にあたる。
【００７７】
ここで、本実施例では、ＲＢ割当決定部２２３は、リソースブロックの空き状況の情報を用いて空き状況の通知を行っているが、用いる情報はリソースブロックの使用状況が分かる情報であれば他の情報を用いてもよい。例えば、ＲＢ割当決定部２２３は、リソースブロックの占有状況を表す情報を用いて空き状況の通知を行ってもよい。この場合、リソースブロックの占有状態を表す情報には、例えば、割り当て済みのリソースブロックの数や割合、さらに、割り当て済みのリソースブロックの位置や識別情報などの割り当て済みのリソースブロックを特定するための情報が含まれる。
【００７８】
データ処理部２２２は、基地局装置２に収容された無線端末装置への送信するデータの入力をデータ管理部２２１から受ける。また、データ処理部２２２は、リソースブロックの割当結果の通知をＲＢ割当決定部２２３から受ける。そして、データ処理部２２２は、通知されたリソースブロックを用いて基地局装置２に収容された無線端末装置へデータを送信する。
【００７９】
ＲＢ割当決定部１２３は、ベースバンド処理部２０２が使用していない第１周波数のリソースブロックの情報をＲＢ割当決定部２２３から受ける。この時、ＲＢ割当決定部１２３は、ＣＡ割当決定部１２４からＣＡにおけるデータの割当結果を取得している場合、ＲＢ割当決定部２２３に対するＣＡにおけるデータの割当結果の通知を保留する。
【００８０】
そして、ＲＢ割当決定部１２３は、ベースバンド処理部２０２が使用していない第１周波数のリソースブロックの情報をＣＡ割当決定部１２４に通知する。その後、ＲＢ割当決定部１２３は、ベースバンド処理部２０２における第１周波数のリソースブロックの空き状況を考慮したＣＡにおけるデータの割当結果の通知をＣＡ割当決定部１２４から受ける。そして、ＲＢ割当決定部１２３は、ＣＡ割当決定部１２４から取得したＣＡにおけるデータの割当の情報を用いてリソースブロックの割り当てを行う。さらに、ＲＢ割当決定部１２３は、ＣＡ割当決定部１２４から取得したＣＡにおけるデータの割当結果及びリソースブロックの割当結果をＲＢ割当決定部２２３へ送信する。
【００８１】
次に、図７を参照して、本実施例に係る無線通信システムにおいてＣＡ及びＣｏＭＰを実行する際のデータ選択について説明する。図７は、実施例２に係る無線通信システムにおいてＣＡ及びＣｏＭＰを実行する際のデータ選択について説明するための図である。ここでは、コアネットワーク４からデータ＃０〜＃５を含む送信データが基地局装置１へ送られてきた場合で説明する。さらに、ここでは、基地局装置２において第１周波数のリソースブロックの使用が無い状態でＣＡにおけるデータの割当が決定された後に、基地局装置２における第１周波数のリソースブロックの空き状況が通知された場合で説明する。
【００８２】
ベースバンド処理部１０２のデータ管理部１２１は、データ＃０〜＃５を含む送信データ３１１をコアネットワーク４から受信する。この時点では、基地局装置２における第１周波数のリソースブロックの空き状況の通知を受けておらず、ＣＡ割当決定部１２４は、送信データ３１１の内、データ＃０、＃３及び＃５を第１周波数で送信するデータとして割り当てる。また、ＣＡ割当決定部１２４は、送信データ３１１の内、データ＃１、＃２及び＃４を第２周波数で送信するデータとして割り当てる。
【００８３】
そして、ＲＢ割当決定部１２３は、ＣＡにおけるデータの割当結果の通知をＣＡ割当決定部１２４から受ける。そして、ＲＢ割当決定部１２３は、データ＃０、＃３及び＃５に対してリソースブロックをリソース割当状態３１２に示すように割り当てる。例えば、図７のリソース割当状態３１２における各リソースブロックを左から順番にＲＢ＃０〜＃６とする。その場合、図７に示すリソース割当状態３１２では、データ＃０（Ｄ＃０）は１番目のリソースブロック（ＲＢ＃１）に割り当てられる。また、データ＃３（Ｄ＃３）は、３番目のリソースブロック（ＲＢ＃３）に割り当てられる。また、データ＃５（Ｄ＃５）は、６番目のリソースブロック（Ｄ＃６）に割り当てられる。
【００８４】
また、ＲＢ割当決定部１２３は、データ＃１、＃２及び＃４に対してリソースブロックをリソース割当状態３１３に示すように割り当てる。例えば、図７のリソース割当状態３１３における各リソースブロックを左から順番にＲＢ＃０〜＃６とする。その場合、図７に示すリソース割当状態３１３では、データ＃１（Ｄ＃１）は１番目のリソースブロック（ＲＢ＃１）に割り当てられる。また、データ＃２（Ｄ＃２）は、２番目のリソースブロック（ＲＢ＃２）に割り当てられる。また、データ＃４（Ｄ＃４）は、５番目のリソースブロック（Ｄ＃６）に割り当てられる。
【００８５】
ところが、この時点で、ＲＢ割当決定部１２３は、第１周波数のリソースブロックの空き状況を表すリソースブロック情報３１４をＲＢ割当決定部２２３から受信する。リソースブロック情報３１４には、例えば、割り当て可能なリソースブロックを特定するための情報が含まれる。ＲＢ割当決定部１２３は、リソースブロック情報３１４に含まれる割り当て可能なリソースブロックを特定するための情報から割り当て可能なリソースブロックを除いたリソースブロックを特定し、特定したリソースブロックを使用済みのリソースブロックとする。ここで、リソースブロック情報３１４における斜線が付加されたリソースブロックは、使用済みのリソースブロックを表す。そこで、ＲＢ割当決定部１２３は、第１周波数で送信するデータとしてデータ＃０、＃３及び＃５が割り当てられたという情報のベースバンド処理部２０２のＲＢ割当決定部２２３への送信を保留する。
【００８６】
ここで、本実施例では、ＲＢ割当決定部１２３は、空き状況を表す情報を用いて使用済のリソースブロックを特定したが、リソースブロックの使用状態を表す他の情報でも同様に使用済みのリソースブロックを特定することができる。例えば、ＲＢ割当決定部１２３が、リソースブロックの占有状況を表す情報をＲＢ割当決定部２２３から受信した場合でも使用済みのリソースブロックを特定できる。この場合、ＲＢ割当決定部１２３は、リソースブロックの占有状況を表す情報から、割り当て済みのリソースブロックを特定する情報を取得する。そして、ＲＢ割当決定部１２３は、取得した割り当て済みのリソースブロックを特定する情報により特定されるリソースブロックを使用済みのリソースブロックとする。
【００８７】
そして、ＲＢ割当決定部１２３は、リソースブロック情報３１４をＣＡ割当決定部１２４へ通知する。ＣＡ割当決定部１２４は、リソースブロック情報３１４をＲＢ割当決定部１２３から取得する。そして、ＣＡ割当決定部１２４は、リソースブロック情報３１４において使用済みのリソースブロックとして指定されたリソースブロックを使用しないように、第１周波数及び第２周波数へのデータの割当を補正する。そして、ＣＡ割当決定部１２４は、補正したＣＡにおけるデータの割当結果をＲＢ割当決定部１２３へ通知する。
【００８８】
ＲＢ割当決定部１２３は、補正されたＣＡにおけるデータの割当結果をＲＢ割当決定部２２３から取得する。そして、ＲＢ割当決定部１２３は、補正されたＣＡにおけるデータの割当の情報を用いて再度リソースブロックの割り当てを行う。ここでは、データ＃３に使用したリソースブロックが、割り当て済みのリソースブロックになっている。そのため、データ＃３に使用したリソースブロックをデータに割り当てることはできないため、ＲＢ割当決定部１２３は、データ＃３に使用したリソースブロックを使用が禁止されたリソースブロックと判定する。そして、第１周波数におけるデータ＃３に使用したリソースブロックの使用が禁止されているので、ＲＢ割当決定部１２３は、データ＃３を第２周波数のリソースブロックに割り当てる。これにより、ＲＢ割当決定部１２３は、データ＃０及び＃５に対してリソースブロックをリソース割当状態３１５に示すように割り当てる。また、ＲＢ割当決定部１２３は、データ＃１、＃２、＃３及び＃４に対してリソースブロックをリソース割当状態３１６に示すように割り当てる。すなわち、リソース割当状態３１２及び３１３が、リソース割当状態３１５及び３１６に変更される。
【００８９】
ＲＢ割当決定部１２３は、第１周波数で送信するデータとしてデータ＃０及び＃５が割り当てられたという情報をベースバンド処理部２０２のＲＢ割当決定部２２３へ送信する。また、ＲＢ割当決定部１２３は、リソースブロックの割当結果、すなわち、リソース割当状態３１５及び３１６を表す情報をデータ処理部１２２へ送信する。さらに、ＲＢ割当決定部１２３は、リソース割当状態３１５を表す情報をＲＢ割当決定部２２３へ送信する。
【００９０】
データ処理部１２２は、受信したリソースブロックの割当結果を用いて、第１周波数でリソース割当状態３１７に示すリソースブロックを用いてデータ＃０及び＃５を無線端末装置３へ送信する。また、データ処理部１２２は、受信したリソースブロックの割当結果を用いて、第２周波数でリソース割当状態３１８に示すリソースブロックを用いてデータ＃１、＃２、＃３及び＃４を無線端末装置３へ送信する。
【００９１】
ベースバンド処理部２０２のＲＢ割当決定部２２３は、第１周波数で送信するデータとしてデータ＃０及び＃５が割り当てられたという情報をデータ管理部２２１へ送信する。また、ＲＢ割当決定部２２３は、リソース割当状態３１５を表す情報をデータ処理部２２２へ出力する。
【００９２】
データ管理部２２１は、データ＃０〜＃５を含む送信データ３１１をデータ管理部１２１から受信する。次に、データ管理部２２１は、ＣｏＭＰの協調先基地局として第１周波数を用いて送信するデータとして、データ＃０及び＃５を送信データから選択する。そして、データ管理部２２１は、選択したデータ＃０及び＃５をデータ処理部２２２へ送信する。
【００９３】
データ処理部２２２は、データ＃０及び＃５の入力をデータ管理部２２１から受ける。さらに、データ処理部２２２は、リソース割当状態３１５を表す情報の入力をＲＢ割当決定部２２３から受ける。そして、データ処理部２２２は、リソース割当状態３１５で示されるリソースブロックと同じリソースブロックを用いて、データ＃０及び＃５を無線端末装置３へ送信する。すなわち、データ処理部２２２は、リソース割当状態３１９で示すリソースブロックを用いてデータ＃０及び＃５を無線端末装置３へ送信する。
【００９４】
以上のような処理を行うことで、基地局装置１が第１周波数で送信するデータと基地局装置２が第１周数で送信するデータは、リソース割当状態３１７及び３１９に示されるように、同じデータであり、且つ同じリソースブロックを用いて送信される。
【００９５】
次に、図８参照して、本実施例に係る無線通信システムにおけるＣＡ及びＣｏＭＰを用いた通信制御の流れを説明する。図８、実施例２に係る無線通信システムにおけるＣＡ及びＣｏＭＰを用いた通信制御のシーケンス図である。
【００９６】
ベースバンド処理部１０２は、無線端末装置３の通信品質などを基に、ＣｏＭＰの実施を決定する（ステップＳ１０１）。
【００９７】
データ管理部１２１は、コアネットワーク４から送信データを受信する（ステップＳ１０２）。次に、データ管理部１２１は、受信した送信データを保持する（ステップＳ１０３）。
【００９８】
さらに、データ管理部１２１は、送信データをデータ管理部２２１へ送信する（ステップＳ１０４）。データ管理部２２１は、送信データを受信し、送信データを保持する（ステップＳ１０５）。
【００９９】
次に、データ管理部１２１は、送信データのデータ量を算出する（ステップＳ１０６）。そして、データ管理部１２１は、算出したデータ量をＲＢ割当決定部１２３へ通知する（ステップＳ１０７）。ＲＢ割当決定部１２３は、データの割当要求とともに送信データのデータ量をＣＡ割当決定部１２４に通知する（ステップＳ１０８）。
【０１００】
ＣＡ割当決定部１２４は、データの割当要求とともに送信データのデータ量の通知をＲＢ割当決定部１２３から受ける。そして、ＣＡ割当決定部１２４は、送信データのデータ量、並びに、第１周波数及び第２周波数の無線リソースの使用状態からＣＡにおけるデータの割当を決定する（ステップＳ１０９）。次に、ＣＡ割当決定部１２４は、ＣＡにおけるデータの割当結果、すなわちＣＡにおけるデータの割当結果をＲＢ割当決定部１２３に通知する（ステップＳ１１０）。
【０１０１】
ＲＢ割当決定部１２３は、ＣＡにおけるデータの割当結果の通知をＣＡ割当決定部１２４から受ける。そして、ＲＢ割当決定部１２３は、ＣＡにおけるデータの割当結果を用いて、第１周波数及び第２周波数で使用するリソースブロックを決定する（ステップＳ１１１）。
【０１０２】
ここで、ＲＢ割当決定部２２３は、第１周波数におけるリソースブロックの空き状況に変更が発生したことを確認し、リソースブロックの空き状況をＲＢ割当決定部１２３に通知する（ステップＳ１１２）。ＲＢ割当決定部１２３は、リソースブロックの空き状況の通知をＲＢ割当決定部２２３から受ける。そして、ＲＢ割当決定部１２３は、リソースブロックの空き状況をＣＡ割当決定部１２４に通知する（ステップＳ１１３）。
【０１０３】
ＣＡ割当決定部１２４は、リソースブロックの空き状況の通知をＲＢ割当決定部１２３から受ける。そして、第１周波数におけるリソースブロックの内のベースバンド処理部２０２が使用していないリソースブロックを用いてＣＡにおけるデータの割当を再度行い、ＣＡにおけるデータの割当を補正する（ステップＳ１１４）。そして、ＣＡ割当決定部１２４は、補正したＣＡにおけるデータの割当結果をＲＢ割当決定部１２３へ通知する（ステップＳ１１５）。
【０１０４】
ＲＢ割当決定部１２３は、補正されたＣＡにおけるデータの割当結果の通知をＣＡ割当決定部１２４から受ける。そして、ＲＢ割当決定部１２３は、補正されたＣＡにおけるデータの割当結果を用いて、第１周波数及び第２周波数で使用するリソースブロックを再度決定し、リソースブロックの割り当てを補正する（ステップＳ１１６）。
【０１０５】
そして、ＲＢ割割当決定部１２３は、ＣＡにおけるデータの割当結果をＲＢ割当決定部２２３へ通知する（ステップＳ１１７）。さらに、ＲＢ割当決定部１２３は、リソースブロックの割当結果をＲＢ割当決定部２２３へ通知する（ステップＳ１１８）。
【０１０６】
その後、ＲＢ割当決定部１２３は、リソースブロックの割当結果をデータ処理部１２２へ通知する（ステップＳ１１９）。さらに、ＲＢ割当決定部１２３は、リソースブロックの割り当て済みデータ量をデータ管理部１２１へ通知する（ステップＳ１２０）。
【０１０７】
データ管理部１２１は、リソースブロックの割り当て済みデータ量の通知をＲＢ割当決定部１２３から受ける。そして、データ管理部１２１は、リソースブロックの割り当て済みデータ量のデータを送信データから取得し、データ処理部１２２へ出力する（ステップＳ１２１）。
【０１０８】
データ処理部１２２は、リソースブロックの割当結果の通知をＲＢ割当決定部１２３から受ける。さらに、データ処理部１２２は、リソースブロックの割り当て済みデータ量のデータの入力をデータ管理部１２１から受ける。そして、データ処理部１２２は、第１周波数及び第２周波数の割り当てられたリソースブロックを用いて取得したデータを無線端末装置３へ送信する（ステップＳ１２２）。
【０１０９】
一方、ＲＢ割当決定部２２３は、ＣＡにおけるデータの割当結果及びリソースブロックの割当結果の通知をＲＢ割当決定部１２３から受ける。そして、ＲＢ割当決定部２２３は、ＣＡにおけるデータの割当結果をデータ管理部２２１へ通知する（ステップＳ１２３）。データ管理部２２１は、ＣＡにおけるデータの割当結果の通知をＲＢ割当決定部２２３から受ける。そして、データ管理部２２１は、ＣＡにおけるデータの割当結果にしたがい、送信データの中から、第１周波数で送信するデータを選択する（ステップＳ１２４）。
【０１１０】
ＲＢ割当決定部２２３は、リソースブロックの割当結果をデータ処理部２２２へ通知する（ステップＳ１２５）。また、ＲＢ割当決定部２２３は、リソースブロックの割り当て済みのデータ量をデータ管理部２２１へ通知する（ステップＳ１２６）。
【０１１１】
データ管理部２２１は、リソースブロックの割り当て済みのデータ量の通知をＲＢ割当決定部２２３から受ける。そして、データ管理部２２１は、選択した第１周波数で送信するデータの中から、リソースブロックに割り当て済みのデータ量のデータを取得しデータ処理部２２２へ出力する（ステップＳ１２７）。
【０１１２】
データ処理部２２２は、リソースブロックの割当結果の通知をＲＢ割当決定部２２３から受ける。さらに、データ処理部２２２は、送信するデータの入力をデータ管理部２２１から受ける。そして、データ処理部２２２は、取得したデータを指定されたリソースブロックを用いて無線端末装置３へ送信する（ステップＳ１２８）。
【０１１３】
ここで、本実施例では、一度ＣＡにおけるデータの割当が行われた後に、基地局装置２において第１周波数のリソースブロックの空き状況が変化した場合で説明したが、リソースブロックの空き状況の変化は他のタイミングで発生する場合もある。例えば、ＣＡにおけるデータの割当が行われる前に、リソースブロックの空き状況の変化が発生した場合、１回目のＣＡにおけるデータの割当において、リソースブロックの空き状況が考慮され、その後の補正は行われない。また、リソースブロックの空き状況の変化によりＣＡにおけるデータの割当の補正を行った後に、さらに、リソースブロックの空き状況の変化する場合もある。その場合、通知されたリソースブロックの空き状況に応じて再度ＣＡにおけるデータの割当の補正が行われる。このように、リソースブロックの空き状況の変化のタイミングが変わった場合、枠Ｐで囲われた処理が他のタイミングで行われる。
【０１１４】
以上に説明したように、本実施例に係る無線通信システムは、協調先基地局におけるＣｏＭＰに用いる周波数のリソースブロックの空き状況を協調元基地局に通知し、使用可能なリソースブロックを用いてＣＡにおけるデータの割当を決定する。これにより、ＣｏＭＰの協調先基地局の無線リソースの状況を考慮して、ＣＡ及びＣｏＭＰを適切に組み合わせることができ、ＣＡにおける各周波数へのデータの割当を最適化できる。
【０１１５】
（ハードウェア構成）
次に、図９を参照して、各実施例に係る基地局装置１のハードウェア構成について説明する。図９は、基地局装置のハードウェア構成図である。ここでは、基地局装置１を例に説明するが、基地局装置２も同様のハードウェア構成を有する。
【０１１６】
基地局装置１は、ＣＰＵ（Central  Processing  Unit）９１、ＤＳＰ（Digital  Signal  Processor）９２、メモリ９３、ＲＦ（Radio  Frequency）回路９４、ネットワークインタフェース９５を有する。ＣＰＵ９１、ＤＳＰ９２は、メモリ９３、ＲＦ回路９４及びネットワークインタフェース９５とバスで接続される。また、ＣＰＵ９１及びＤＳＰ９２は、相互に接続され、通信可能である。
【０１１７】
ＲＦ回路９４は、アンテナと接続される。ＲＦ回路９４は、無線信号の送受信を行う回路であり、図２に例示した無線通信部１０１の機能を実現する。
【０１１８】
ネットワークインタフェース９５は、コアネットワークと接続する。ネットワークインタフェース９５は、図２に例示したネットワーク通信部１０３の機能を実現する。
【０１１９】
ＣＰＵ９１は、主に基地局装置１の各部の全体の制御及びパラメータの設定などを行う。ＤＳＰ９２は、主に無線通信処理の制御を行う。ＤＳＰ９２は、図２に例示したベースバンド処理部１０２の機能を実現する。
【０１２０】
例えば、メモリ９３には、図３に例示したデータ管理部１２１、データ処理部１２２、ＲＢ割当決定部１２３及びＣＡ割当決定部１２４を有するベースバンド処理部１０２の機能を実現するプログラムを含む各種プログラムが格納される。ＤＳＰ９２は、メモリ９３から各種プログラムを読み出し実行することで、データ管理部１２１、データ処理部１２２、ＲＢ割当決定部１２３及びＣＡ割当決定部１２４を有するベースバンド処理部１０２の機能を実現する。ここで、本実施例ではＤＳＰ９２がベースバンド処理部１０２の機能を実現する場合で説明したが、ＣＰＵ９１によりベースバンド処理部１０２の機能が実現されてもよい。
【０１２１】
また、基地局装置２におけるＤＳＰ９２及びメモリ９３は、図３に例示したデータ管理部２２１、データ処理部２２２及びＲＢ割当決定部２２３の機能を実現する。
【０１２２】
次に、図１０を参照して、無線端末装置３のハードウェア構成について説明する。図１０は、無線端末装置のハードウェア構成図である。無線端末装置３は、図１０に示すように、ＣＰＵ３１、メモリ３２及びＲＦ回路３３を有する。
【０１２３】
ＲＦ回路３３は、アンテナと接続される。そして、ＲＦ回路３３は、基地局装置１及び２から送信された無線信号の受信及び基地局装置１への無線信号の送信を行う。
【０１２４】
ＣＰＵ３１は、ＲＦ回路３３が受信した信号に対してベースバンド処理を施す。また、ＣＰＵ３１は、ベースバンド処理を施した信号を無線信号に変換して、ＲＦ回路３３へ出力する。
【符号の説明】
【０１２５】
１，２  基地局装置
３  無線端末装置
４  コアネットワーク
１１，１２，２１  セル
１０１  無線通信部
１０２，２０２  ベースバンド処理部
１０３  ネットワーク通信部
１０４  アンテナ
１２１  データ管理部
１２２  データ処理部
１２３  ＲＢ割当決定部
１２４  ＣＡ割当決定部
２２１  データ管理部
２２２  データ処理部
２２３  ＲＢ割当決定部
【図１】
2017103545.tif 000003
【図２】
2017103545.tif 000004
【図３】
2017103545.tif 000005
【図４】
2017103545.tif 000006
【図５】
2017103545.tif 000007
【図６】
2017103545.tif 000008
【図７】
2017103545.tif 000009
【図８】
2017103545.tif 000010
【図９】
2017103545.tif 000011
【図１０】
2017103545.tif 000012
【手続補正書】
【提出日】平成28年9月21日(2016.9.21)
【手続補正１】
【補正対象書類名】図面
【補正対象項目名】図７
【補正方法】変更
【補正の内容】
【図７】
2017103545.tif 000013